(57)【要約】【課題】  店舗内で利用者が販売対象の商品そのものを手に取ることが可能な状況において、簡易迅速にその商品を持ち帰ることを可能とする決済システムおよび決済方法を提供する。【解決手段】  携帯型端末１０が、光学シンボルＫを読み取り、商品管理サーバ２０に送信し、商品管理サーバ２０が、受信した商品ＩＤに基づき商品情報を取得し、携帯型端末１０に返信し、携帯型端末１０が商品情報に対する購入指示を商品管理サーバ２０に送信し、商品管理サーバ２０が販売ＩＤを付与して仮登録を行い、販売ＩＤを含む二次元コードＮを生成して携帯型端末１０に送信し、レシート発行機３０が携帯型端末１０に表示された二次元コードＮを読み取り、販売ＩＤを取得して商品管理サーバ２０に送信し、商品管理サーバ２０が販売ＩＤを用いてクレジット決済用情報を取得し、クレジット決済装置４０にアクセスして決済処理を行い、決済完了の場合に、決済完了情報をレシート発行機３０に送信し、レシート発行機３０がレシートＲを印刷する。【選択図】  図１
2014010521.tif 000002
【特許請求の範囲】
【請求項１】
携帯型端末と、商品管理サーバと、レシート発行機と、を備えた決済システムであって、
前記携帯型端末は、
商品に付された光学シンボルを読み取る光学シンボル読取手段と、
前記光学シンボルから読み取った商品識別情報を前記商品管理サーバに送信する商品識別情報送信手段と、
前記商品管理サーバから商品情報を受信する商品情報受信手段と、
購入指示を前記商品管理サーバに送信する購入指示送信手段と、
前記商品管理サーバから二次元コードを受信する二次元コード受信手段と、
前記受信した二次元コードを表示する表示手段と、を有し、
前記商品管理サーバは、
店舗において販売されている商品に関する情報を記憶した商品データベースと、
会員登録された利用者に関する情報を記憶した利用者データベースと、
商品の販売に関する情報を記憶した販売データベースと、
前記携帯型端末から受信した前記商品識別情報を用いて前記商品データベースを参照し、対応する商品情報を取得する商品情報取得手段と、
前記取得した商品情報を前期携帯型端末に送信する商品情報送信手段と、
前記携帯型端末から受信した購入指示に従って商品識別情報と利用者識別情報を関連付け、販売識別情報を付与して、前記販売データベースに仮登録する仮登録手段と、
前記仮登録を行った販売手続きに対応する二次元コードを生成する二次元コード生成手段と、
前記生成した二次元コードを前記携帯型端末に送信する二次元コード送信手段と、
前記レシート発行機から受信した販売識別情報を用いて利用者データベース、販売データベースを参照し、クレジット決済用情報および代金情報を取得する決済用情報取得手段と、
前記決済用情報取得手段により取得されたクレジット決済用情報および代金情報を、クレジット決済装置に送信し、当該クレジット決済装置から決済ＩＤを取得する決済処理手段と、
前記決済処理手段により決済ＩＤを受信した場合に、前記レシート発行機に決済完了情報を送信する決済完了情報送信手段と、
を有し、
前記レシート発行機は、
前記携帯型端末に表示された二次元コードを読み取る二次元コード読取手段と、
前記二次元コードを読み取って取得した販売識別情報を前記商品管理サーバに送信する販売識別情報送信手段と、
前記商品管理サーバから決済完了情報を受信した場合に、前記二次元コードに記録された情報を印刷してレシートを出力するレシート発行手段と、
を有する、
ことを特徴とする決済システム。
【請求項２】
前記二次元コードには、直接または間接的に商品の外観を現した画像を取得するための情報が記録されており、
前記レシート発行手段は、前記商品の外観を現した画像を印刷することを特徴とする請求項１に記載の決済システム。
【請求項３】
携帯型端末と、商品管理サーバと、レシート発行機と、を備えた決済システムにより決済を行う方法であって、
前記携帯型端末が、光学シンボル読取手段により商品に付された光学シンボルを読み取り、商品識別情報を取得する段階と、
前記携帯型端末が、前記取得した商品識別情報を前記商品管理サーバに送信する段階と、
前記商品管理サーバが、前記受信した商品識別情報に基づき商品データベースを参照して商品情報を取得する段階と、
前記商品管理サーバが、前記取得した商品情報を前記携帯型端末に送信する段階と、
前記携帯型端末が、前記受信した商品情報に対して行われた購入指示を前記商品管理サーバに送信する段階と、
前記商品管理サーバが、前記購入指示に従って、販売識別情報を付与して販売データベースに仮登録を行い、前記販売識別情報を含む二次元コードを生成する段階と、
前記商品管理サーバが、前記生成した二次元コードを前記携帯型端末に送信する段階と、
前記携帯型端末が、前記商品管理サーバから受信した二次元コードを表示する段階と、
前記レシート発行機が、光学的読取手段により前記携帯型端末の画面に表示された二次元コードを読み取る段階と、
前記レシート発行機が、光学的読取手段により前記携帯型端末の画面に表示された二次元コードを読み取り、販売識別情報を取得する段階と、
前記レシート発行機が、前記取得した販売識別情報を前記商品管理サーバに送信する段階と、
前記商品管理サーバが、前記レシート発行機から受信した販売識別情報を用いてクレジット決済用情報を取得する段階と、
前記商品管理サーバが、前記取得したクレジット決済用情報を用いて、クレジット決済コンピュータにアクセスし、クレジットカードの決済処理を行う段階と、
決済完了の場合に、決済完了情報を前記レシート発行機に送信する段階と、
前記レシート発行機が、レシートを印刷する段階と、
を有することを特徴とする決済方法。
【請求項４】
前記二次元コードには、直接または間接的に商品の外観を現した画像を取得するための情報が記録されており、
前記レシートには、前記商品の外観を現した画像が印刷されることを特徴とする請求項３に記載の決済方法。
【請求項５】
請求項１または請求項２に記載の決済システムとして、コンピュータを機能させるためのプログラム。
【発明の詳細な説明】
【技術分野】
【０００１】
本発明は、店舗に在庫が存在する場合に、利用者が管理する携帯端末を用いて決済を行うための技術に関する。
【背景技術】
【０００２】
近年、情報処理技術、および、ネットワーク技術の発達により、コンピュータ等の情報処理端末を利用して、様々なサービスが提供されている。携帯電話機等の携帯端末による技術も発達しており、消費者は、自身が保有する携帯電話機からインターネットに接続し、商品購入手続きや、代金決済手続きを行うことも可能になっている。
【０００３】
また、店舗内で展示販売される商品について、携帯端末を利用し、在庫確認を行った上で精算処理を行う技術も開発されている（特許文献１参照）。
【先行技術文献】
【特許文献】
【０００４】
【特許文献１】特開２００５−１５７８７２号公報
【発明の概要】
【発明が解決しようとする課題】
【０００５】
しかしながら、上記特許文献１に記載の技術では、書籍のように、店舗内に販売対象の商品そのものが陳列されていて、明らかに在庫があり、消費者がその商品を手に取った場合に、店員と接触することなく、そのまま、その商品を持ち帰ることができなかった。
【０００６】
そこで、本発明は、店舗内で利用者が販売対象の商品そのものを手に取ることが可能な状況において、簡易迅速にその商品を持ち帰ることを可能とする決済システムおよび決済方法を提供することを課題とする。
【課題を解決するための手段】
【０００７】
上記課題を解決するため、本発明第１の態様では、携帯型端末と、商品管理サーバと、レシート発行機と、を備えた決済システムであって、前記携帯型端末は、商品に付された光学シンボルを読み取る光学シンボル読取手段と、前記光学シンボルから読み取った商品識別情報を前記商品管理サーバに送信する商品識別情報送信手段と、前記商品管理サーバから商品情報を受信する商品情報受信手段と、購入指示を前記商品管理サーバに送信する購入指示送信手段と、前記商品管理サーバから二次元コードを受信する二次元コード受信手段と、前記受信した二次元コードを表示する表示手段と、を有し、前記商品管理サーバは、店舗において販売されている商品に関する情報を記憶した商品データベースと、会員登録された利用者に関する情報を記憶した利用者データベースと、商品の販売に関する情報を記憶した販売データベースと、前記携帯型端末から受信した前記商品識別情報を用いて前記商品データベースを参照し、対応する商品情報を取得する商品情報取得手段と、前記取得した商品情報を前期携帯型端末に送信する商品情報送信手段と、前記携帯型端末から受信した購入指示に従って商品識別情報と利用者識別情報を関連付け、販売識別情報を付与して、前記販売データベースに仮登録する仮登録手段と、前記仮登録を行った販売手続きに対応する二次元コードを生成する二次元コード生成手段と、前記生成した二次元コードを前記携帯型端末に送信する二次元コード送信手段と、前記レシート発行機から受信した販売識別情報を用いて利用者データベース、販売データベースを参照し、クレジット決済用情報および代金情報を取得する決済用情報取得手段と、前記決済用情報取得手段により取得されたクレジット決済用情報および代金情報を、クレジット決済装置に送信し、当該クレジット決済装置から決済ＩＤを取得する決済処理手段と、前記決済処理手段により決済ＩＤを受信した場合に、前記レシート発行機に決済完了情報を送信する決済完了情報送信手段と、を有し、前記レシート発行機は、前記携帯型端末に表示された二次元コードを読み取る二次元コード読取手段と、前記二次元コードを読み取って取得した販売識別情報を前記商品管理サーバに送信する販売識別情報送信手段と、前記商品管理サーバから決済完了情報を受信した場合に、前記二次元コードに記録された情報を印刷してレシートを出力するレシート発行手段と、を有する、ことを特徴とする決済システムを提供する。
【０００８】
本発明第１の態様によれば、商品データベース、利用者データベース、販売データベースを用意しておき、利用者の携帯型端末で商品からバーコード等の光学シンボルを読み取って、商品管理サーバにアクセスし、購入指示を行って、販売取引を記録した二次元コードを取得し、携帯型端末に表示させた二次元コードをレシート発行機に読み取らせ、レシート発行機が商品管理サーバにアクセスして、クレジット決済を行い、決済完了である場合に、レシート発行機が商品情報を印刷したレシートを発行するようにしたので、店舗内に利用者が販売対象の商品そのものを手に取ることが可能な状況において、簡易迅速にその商品を持ち帰ることを可能となる。
【０００９】
また、本発明第２の態様は、本発明第１の態様の決済システムにおいて、前記二次元コードには、直接または間接的に商品の外観を現した画像を取得するための情報が記録されており、前記レシート発行手段は、前記商品の外観を現した画像を印刷することを特徴とする。
【００１０】
本発明第２の態様によれば、二次元コードに直接または間接的に商品の外観を現した画像を取得するための情報が記録しておき、レシートに商品の外観を現した画像を印刷するようにしたので、店員が顧客を呼びとめ、レシートの提示を受けた際に、印刷された画像を確認することにより、決済済みの商品を迅速に確認することが可能となる。
【００１１】
また、本発明第３の態様では、携帯型端末と、商品管理サーバと、レシート発行機と、を備えた決済システムにより決済を行う方法であって、前記携帯型端末が、光学シンボル読取手段により商品に付された光学シンボルを読み取り、商品識別情報を取得する段階と、前記携帯型端末が、前記取得した商品識別情報を前記商品管理サーバに送信する段階と、前記商品管理サーバが、前記受信した商品識別情報に基づき商品データベースを参照して商品情報を取得する段階と、前記商品管理サーバが、前記取得した商品情報を前記携帯型端末に送信する段階と、前記携帯型端末が、前記受信した商品情報に対して行われた購入指示を前記商品管理サーバに送信する段階と、前記商品管理サーバが、前記購入指示に従って、販売識別情報を付与して販売データベースに仮登録を行い、前記販売識別情報を含む二次元コードを生成する段階と、前記商品管理サーバが、前記生成した二次元コードを前記携帯型端末に送信する段階と、前記携帯型端末が、前記商品管理サーバから受信した二次元コードを表示する段階と、前記レシート発行機が、光学的読取手段により前記携帯型端末の画面に表示された二次元コードを読み取る段階と、前記レシート発行機が、光学的読取手段により前記携帯型端末の画面に表示された二次元コードを読み取り、販売識別情報を取得する段階と、前記レシート発行機が、前記取得した販売識別情報を前記商品管理サーバに送信する段階と、前記商品管理サーバが、前記レシート発行機から受信した販売識別情報を用いてクレジット決済用情報を取得する段階と、前記商品管理サーバが、前記取得したクレジット決済用情報を用いて、クレジット決済コンピュータにアクセスし、クレジットカードの決済処理を行う段階と、決済完了の場合に、決済完了情報を前記レシート発行機に送信する段階と、前記レシート発行機が、レシートを印刷する段階と、を有することを特徴とする決済方法を提供する。
【００１２】
また、本発明第４の態様は、本発明第３の態様の決済方法において、前記二次元コードには、直接または間接的に商品の外観を現した画像を取得するための情報が記録されており、前記レシートには、前記商品の外観を現した画像が印刷されることを特徴とする。
【００１３】
本発明第３、第４の態様によれば、それぞれ本発明第１、第２の態様と同様の効果を得ることが可能となる。
【発明の効果】
【００１４】
本発明によれば、店舗内で利用者が販売対象の商品そのものを手に取ることが可能な状況において、簡易迅速にその商品を持ち帰ることが可能となるという効果を奏する。
【図面の簡単な説明】
【００１５】
【図１】本発明の一実施形態に係る決済システムの構成図である。
【図２】携帯型端末１０の詳細を示す図である。
【図３】商品管理サーバ２０の詳細を示す図である。
【図４】商品データベースＤ１の記録項目の一例を示す図である。
【図５】利用者データベースＤ２の記録項目の一例を示す図である。
【図６】販売データベースＤ３の記録項目の一例を示す図である。
【図７】レシート発行機３０の詳細を示す図である。
【図８】二次元コードの表示までを示すシーケンス図である。
【図９】携帯型端末１０の画面の表示例を示す図である。
【図１０】レシート発行までを示すシーケンス図である。
【発明を実施するための形態】
【００１６】
＜１．システム構成＞
以下、本発明の好適な実施形態について図面を参照して詳細に説明する。図１は、本発明の一実施形態に係る決済システムの構成図である。図１において、１０は携帯型端末、２０は商品管理サーバ、３０はレシート発行機、４０はクレジット決済装置、５０はネットワーク、Ｍは商品、Ｋは光学シンボル、Ｒはレシートである。携帯型端末１０、商品管理サーバ２０はインターネット等の公衆のネットワーク５０に接続されており、互いにデータの送受信が可能となっている。また、商品管理サーバ２０とレシート発行機３０は無線通信可能に構成されており、商品管理サーバ２０とクレジット決済装置４０は専用回線によりデータの送受信が可能なように構成されている。通信の秘密性が確保されるのであれば、商品管理サーバ２０とレシート発行機３０、クレジット決済装置４０の間は、インターネット等の公衆のネットワークで接続されていても良い。
【００１７】
携帯型端末１０は、携帯電話機、スマートフォン、タブレット等の情報処理機能、ネットワーク通信機能、カメラ機能を備えた携帯可能な端末装置である。本発明を実施するに際し、携帯型端末１０は通話機能を備えていなくても良い。商品管理サーバ２０は、店舗で販売される商品の情報を管理するサーバコンピュータである。レシート発行機３０は、携帯型端末１０の画面に表示された二次元コードを読み取り、対応するレシートを発行する装置である。クレジット決済装置４０は、クレジットカード会社が管理するコンピュータであり、公知のクレジットカード決済システムで実現される。
【００１８】
図２（ａ）は、携帯型端末１０のハードウェア構成図である。携帯型端末１０は、いわゆるスマートフォンに専用のプログラムを組み込むことにより実現される。図２（ａ）に示すように、ＣＰＵ（Central Processing Unit）１０ａと、メインメモリであるＲＡＭ（Random Access Memory）１０ｂと、ＣＰＵが実行するプログラムやデータを記憶するための不揮発性の記憶装置１０ｃ（例えば、ハードディスク、フラッシュメモリ等）と、キーボード、タッチパネル等の指示入力部１０ｄと、外部装置（データ記憶媒体等）とデータ通信するためのデータ入出力Ｉ／Ｆ（インタフェース）１０ｅと、表示部（液晶ディスプレイ等）１０ｆと、ネットワークを介して他のコンピュータとネットワーク通信を行うための通信部１０ｇと、写真撮影を行うカメラ部１０ｈを備え、互いにバスを介して接続されている。現実には、スマートフォンには、図２に示した以外にも、マイクロフォン、スピーカ、音声処理部等の通話のための機能を有しているが、本発明では用いないため、省略してある。
【００１９】
図２（ｂ）は、携帯型端末１０の機能ブロック図である。図２（ａ）に示したハードウェア構成において、ＣＰＵ１０ａが記憶装置１０ｃに記憶されたプログラムをＲＡＭ１０ｂに読み込んで実行することにより、携帯型端末１０は、図２（ｂ）に示した各手段を機能させることが可能となる。図２（ｂ）に示すように、携帯型端末１０は、光学シンボル読取手段１１、商品識別情報送信手段１２、商品情報受信手段１３、購入指示送信手段１４、二次元コード受信手段１５を有する。
【００２０】
光学シンボル読取手段１１は、商品Ｍに付された光学シンボルＫに記録されている情報を取得する手段であり、ＣＰＵ１０ａがカメラ部１０ｈで撮影した画像に対して画像処理を行うことにより実現される。光学シンボルとは、情報を光学識別可能に記録したものであり、バーコード等の一次元コードや、ＱＲコード（登録商標）等の二次元コードを用いることができる。本実施形態では、商品を識別可能な商品識別情報を記録したバーコードを、光学シンボルＫとして採用している。商品識別情報送信手段１２は、光学シンボル読取手段１１が光学シンボルＫから取得した商品識別情報（以下、商品ＩＤという）を商品管理サーバ２０に送信する手段であり、通信部１０ｇがＣＰＵ１０ａから受けた送信命令を実行することにより実現される。
【００２１】
商品情報受信手段１３は、商品管理サーバ２０から商品情報を受信する手段であり、ＣＰＵ１０ａが通信部１０ｇを制御することにより実現される。購入指示
送信手段１４は、指示入力部１０ｄを介して外部から商品の購入指示が行われた場合に、購入指示を示す情報を商品管理サーバ２０に送信する手段であり、通信部１０ｇがＣＰＵ１０ａから受けた送信命令を実行することにより実現される。二次元コード受信手段１５は、商品管理サーバ２０から二次元コードを受信する手段であり、ＣＰＵ１０ａが通信部１０ｇを制御することにより実現される。
【００２２】
図３（ａ）は、商品管理サーバ２０のハードウェア構成図である。商品管理サーバ２０は、汎用のサーバコンピュータで実現することができ、図３（ａ）に示すように、ＣＰＵ（Central Processing Unit）２０ａと、コンピュータのメインメモリであるＲＡＭ（Random Access Memory）２０ｂと、ＣＰＵが実行するプログラムやデータを記憶するための大容量の記憶装置２０ｃ（例えば、ハードディスク、フラッシュメモリ等）と、キーボード、マウス等の入力機器からの入力を受け付ける入力Ｉ／Ｆ（インタフェース）２０ｄと、外部装置（データ記憶媒体等）とデータ通信するためのデータ入出力Ｉ／Ｆ（インタフェース）２０ｅと、表示装置（液晶ディスプレイ等）に情報を送出するための表示出力Ｉ／Ｆ（インタフェース）２０ｆと、ネットワークを介して他のコンピュータとネットワーク通信を行うための通信部２０ｇを備え、互いにバスを介して接続されている。
【００２３】
図３（ｂ）は、商品管理サーバ２０の機能ブロック図である。図３（ａ）に示したハードウェア構成において、ＣＰＵ２０ａが記憶装置２０ｃに記憶されたプログラムをＲＡＭ２０ｂに読み込んで実行することにより、商品管理サーバ２０は、図３（ｂ）に示した各手段を機能させることが可能となる。図３（ｂ）に示すように、商品管理サーバ２０は、商品データベースＤ１、利用者データベースＤ２、販売データベースＤ３、商品情報取得手段２１、商品情報送信手段２２、仮登録手段２３、二次元コード生成手段２４、二次元コード送信手段２５、決済用情報取得手段２６、決済処理手段２７、決済完了情報送信手段２８、購入手続処理手段２９を有する。
【００２４】
商品データベースＤ１は、店舗において販売されている商品に関する情報を記憶したデータベースである。利用者データベースＤ２は、会員登録された利用者に関する情報を記憶したデータベースである。販売データベースＤ３は、商品の販売に関する情報を記憶したデータベースである。商品データベースＤ１、利用者データベースＤ２、販売データベースＤ３は、記憶装置２０ｃの所定の記憶領域にデータを記憶し、それぞれ対応するデータベースソフトウェアであるプログラムをＣＰＵ２０ａが実行することにより実現される。
【００２５】
図４は、商品データベースＤ１の記録項目の一例を示す図である。図４に示すように、商品データベースＤ１には、各商品について、商品を特定する商品識別情報である商品ＩＤ、商品名、価格、外観画像、店舗在庫が商品情報として記憶されている。商品情報としては、図４に示した項目以外でも、商品に関する様々な情報を記憶しておくことが可能である。商品が書籍の場合、商品ＩＤとしてＩＳＢＮコード、商品名としてタイトルを記憶しておくことができる。
【００２６】
図５は、利用者データベースＤ２の記録項目の一例を示す図である。図５に示すように、利用者データベースＤ２には、会員登録された各利用者について、利用者を特定する利用者識別情報である利用者ＩＤ、氏名、クレジット決済用情報が利用者情報として記憶されている。クレジット決済用情報とは、クレジットカード番号や有効期限等、クレジット決済装置４０での決済処理に必要な情報である。利用者情報としては、図５に示した項目以外でも、利用者に関する様々な情報を記憶しておくことが可能である。
【００２７】
図６は、販売データベースＤ３の記録項目の一例を示す図である。図６に示すように、販売データベースＤ３には、各販売取引（利用者側から見ると購入取引）について、販売取引を特定する販売識別情報である販売ＩＤ、利用者ＩＤ、商品ＩＤ、決済ＩＤが販売情報として記憶されている。販売情報としては、図６に示した項目以外でも、販売取引に関する様々な情報を記憶しておくことが可能である。
【００２８】
商品情報取得手段２１は、携帯型端末１０から受信した商品ＩＤを用いて商品データベースＤ１を参照し、該当する商品情報を取得する手段であり、ＣＰＵ２０ａが専用のプログラムを実行することにより実現される。商品情報送信手段２２は、商品情報取得手段２１により取得された商品情報を携帯型端末１０に送信する手段であり、通信部２０ｇがＣＰＵ２０ａから受けた送信命令を実行することにより実現される。
【００２９】
仮登録手段２３は、携帯型端末１０から受信した購入指示に従って、販売データベースＤ３に販売ＩＤを付与し、仮登録を行う手段であり、ＣＰＵ２０ａが専用のプログラムを実行することにより実現される。二次元コード生成手段２４は、仮登録手段２３により仮登録処理が行われた商品に対応する二次元コードを生成する手段であり、ＣＰＵ２０ａが公知の二次元コード生成プログラムを実行することにより実現される。
【００３０】
二次元コード送信手段２５は、二次元コード生成手段２４により生成された二次元コードを携帯型端末１０に送信する手段であり、通信部２０ｇがＣＰＵ２０ａから受けた送信命令を実行することにより実現される。決済用情報取得手段２６は、レシート発行機３０から受信した販売ＩＤから、クレジット決済用情報、代金情報を取得する手段であり、ＣＰＵ２０ａが専用のプログラムを実行することにより実現される。
【００３１】
決済処理手段２７は、決済用情報取得手段２６により取得されたクレジット決済用情報、代金情報を用いて、クレジット決済装置４０にアクセスし、決済処理を行う手段であり、ＣＰＵ２０ａが通信部２０ｇを制御して、クレジット決済装置４０とデータの送受信を行うことにより実現される。決済完了情報送信手段２８は、決済処理手段２７により決済が正しく完了した場合に、決済完了情報をレシート発行機３０に送信する手段であり、通信部２０ｇがＣＰＵ２０ａから受けた送信命令を実行することにより実現される。
【００３２】
購入手続処理手段２９は、商品の選択、商品情報の表示に関する処理を、携帯型端末１０と連携して行う手段であり、ＣＰＵ２０ａが所定のプログラムを実行することにより実現される。
【００３３】
図７（ａ）は、レシート発行機３０のハードウェア構成図である。レシート発行機３０は、ＣＰＵ（Central Processing Unit）３０ａと、メインメモリであるＲＡＭ（Random Access Memory）３０ｂと、ＣＰＵが実行するプログラムやデータを記憶するための記憶装置３０ｃ（例えば、ハードディスク、フラッシュメモリ等）と、インクジェットプリンタ、レーザープリンタ等の印刷部３０ｄと、ネットワークを介して他のコンピュータとネットワーク通信を行うための通信部３０ｅと、写真撮影を行う光学的読取部３０ｆと、表示部（液晶ディスプレイ等）３０ｇを備え、互いにバスを介して接続されている。
【００３４】
図７（ｂ）は、レシート発行機３０の機能ブロック図である。図７（ａ）に示したハードウェア構成において、ＣＰＵ３０ａが記憶装置３０ｃに記憶されたプログラムをＲＡＭ３０ｂに読み込んで実行することにより、レシート発行機３０は、図７（ｂ）に示した各手段を機能させることが可能となる。図７（ｂ）に示すように、レシート発行機３０は、二次元コード読取手段３１、販売識別情報送信手段３２、レシート印刷手段３３を有する。
【００３５】
二次元コード読取手段３１は、二次元コードに記録されている情報を取得する手段であり、ＣＰＵ３０ａが光学的読取部３０ｆで取得した画像に対して画像処理を行うことにより実現される。販売識別情報送信手段３２は、二次元コード読取手段３１が取得した販売識別情報（以下、販売ＩＤという）を商品管理サーバ２０に送信する手段であり、通信部３０ｅがＣＰＵ３０ａから受けた送信命令を実行することにより実現される。レシート印刷手段３３は、商品情報をレシート用紙に印刷して出力する手段であり、印刷部３０ｄがＣＰＵ３０ａから受けた印刷命令を実行することにより実現される。
【００３６】
＜２．事前準備＞
まず、事前の準備として、利用者は、所定の手順により自身のスマートフォン等を携帯型端末１０として機能させるための専用プログラムを入手する。例えば、専用プログラムを“アプリ”と呼ばれるプログラムとして、ネットワーク上の所定のサーバに登録しておき、利用者がスマートフォンから、そのサーバにアクセスしてダウンロードすることにより、専用プログラムを入手することができる。この専用プログラムをスマートフォンにダウンロードすることにより、ＵＲＬ等の商品管理サーバ２０にアクセスするためのネットワーク上のアドレスが携帯型端末１０の記憶装置１０ｃに格納される。
【００３７】
また、クレジットカードの契約を行い、クレジットカードを利用可能にする。これにより、クレジットカード会社では、クレジットカード番号や有効期限等の決済に必要なクレジット決済用情報をクレジット決済装置４０に登録する。
【００３８】
さらに、利用者は、“アプリ”として入手した専用プログラムを利用してスマートフォンから商品管理サーバ２０にアクセスし、利用者データベースＤ２に自身のクレジット決済用情報を登録し、利用者ＩＤの発行を受ける。発行された利用者ＩＤは、携帯型端末１０の記憶装置１０ｃ内の専用プログラムが利用可能な領域に記憶しておく。
【００３９】
＜３．処理動作＞
次に、本実施形態に係る決済システムの処理動作について、商品として書籍を扱う場合を例にとって説明する。
＜３．１．仮登録処理＞
まず、図８のシーケンス図を用いて、仮登録処理について説明する。事前準備の後、利用者が、自身が管理する携帯型端末１０を所持して店舗内に入り、気に入った書籍を見つけたとする。この場合、利用者は、携帯型端末１０の指示入力部１０ｄを操作することにより携帯型端末１０のカメラ部１０ｈを起動させる。カメラ部１０ｈが起動したら、利用者は、カメラ部１０ｈのレンズを書籍に添付された光学シンボルに向ける。カメラ部１０ｈが光学シンボルを認識すると、カメラ部１０ｈは光学シンボルを撮影し、光学シンボルに記録された情報を読み取る（ステップＳ１１）。光学シンボルには、様々な情報を記録することができるが、このうち、所定の商品ＩＤが記録されていることを認識した場合には、商品識別情報送信手段１２が、事前に記憶装置１０ｃに登録されたＵＲＬを利用して、商品管理サーバ２０にアクセスして商品ＩＤを送信する（ステップＳ１２）。例えば、光学シンボルがバーコードであり、商品ＩＤがＩＳＢＮコードである場合は、ＣＰＵ１０ａが専用プログラムを実行し、バーコードに記録された情報がＩＳＢＮコードであるか否かを判断する。そして、バーコードに記録された情報がＩＳＢＮコードである場合は、記憶装置１０ｃに登録されているＵＲＬで特定される商品管理サーバ２０に、読み取りにより取得したＩＳＢＮコードを送信する。
【００４０】
商品管理サーバ２０では、携帯型端末１０から商品ＩＤを受信すると、商品情報取得手段２１が、受信した商品ＩＤにより商品データベースＤ１を参照し、対応する商品情報を取得する（ステップＳ１３）。
【００４１】
続いて、商品管理サーバ２０では、商品情報取得手段２１により取得された商品情報を、商品情報送信手段２２が携帯型端末１０に送信する（ステップＳ１４）。そして、携帯型端末１０では、商品情報受信手段１３が、商品管理サーバ２０から商品情報を受信する。続いて、携帯型端末１０は、受信した商品情報を表示部１０ｆに表示する（ステップＳ１５）。具体的には、通信部１０ｇが商品管理サーバ２０から受信した商品情報をＣＰＵ１０ａに渡し、ＣＰＵ１０ａがＲＡＭ１０ｂに書き込む。そして、ＣＰＵ１０ａが専用プログラムを実行することにより、表示部１０ｆに表示指示を行い、表示指示を受けた表示部１０ｆが商品情報を表示する。
【００４２】
図９は、携帯型端末１０に表示された画面の一例を示す図である。ステップＳ１５においては、図９（ａ）に示すように、商品情報が表示部１０ｆに表示される。商品情報が書籍情報である場合、商品情報として、書籍の表紙画像の他、書籍のタイトル、著者、価格等、その書籍に関連する情報が表示される。そして、画面下部には、「カートへ入れる」と表記された仮選択ボタンが表示される。
【００４３】
図９（ａ）に示した画面に対して、仮選択ボタンを指定する操作を指示入力部１０ｄにより行うと、携帯型端末１０のＣＰＵ１０ａは、仮選択ボタンが指定されたことを検知し、保持している商品情報と、利用者識別情報（以下、利用者ＩＤという）とともに仮選択指示情報を商品管理サーバ２０に送信する。商品管理サーバ２０は、仮選択指示情報を受信すると、受信した商品情報と利用者ＩＤを関連付けて仮選択情報として、記憶装置２０ｃに記憶する。続いて、商品管理サーバ２０は、記憶装置２０ｃに記憶された仮選択情報を、携帯型端末１０に送信する。仮選択情報は、一般のＥＣサイトにおいて、いわゆる“カート”に入れた商品の情報であり、利用者が購入を決定する前に、商品を“カート”に入れるイメージで購入手続きを行うために利用されるものである。
【００４４】
携帯型端末１０は、商品管理サーバ２０から仮選択情報を受信すると、受信した仮選択情報を、表示部１０ｆに表示する。具体的には、通信部１０ｇが商品管理サーバ２０から受信した仮選択情報をＣＰＵ１０ａに渡し、ＣＰＵ１０ａがＲＡＭ１０ｂに書き込む。そして、ＣＰＵ１０ａが専用プログラムを実行することにより、表示部１０ｆに表示指示を行い、表示指示を受けた表示部１０ｆが仮選択情報を表示する。
【００４５】
図９（ｂ）は、仮選択情報が表示部１０ｆに表示された状態を示す図である。図９（ｂ）に示すように、仮選択情報が記憶された旨は、利用者に対しては、「１点がカートに追加されました」というメッセージにより通知される。メッセージの下方には、図９（ａ）と同様に、商品の外観画像を含む商品情報が表示される。画面の最下部には、「購入」と表記された購入ボタンと、「買い物継続」と表記された継続ボタンが表示される。
【００４６】
図９（ｂ）に示した画面に対して、「買い物継続」と表記された継続ボタンが操作されると、携帯型端末１０のＣＰＵ１０ａは、継続ボタンが指定されたことを検知し、引き続きカメラ部１０ｈが起動し、撮影対象である光学シンボルを認識する処理に戻る。ステップＳ１５においては、継続ボタンを操作して、Ｓ１１からＳ１４の処理を繰り返すことにより、複数の商品を選択することができる。一方、図９（ｂ）に示した画面に対して、「購入」と表記された購入ボタンが操作されると、購入指示送信手段１４は、購入ボタンが指定されたことを検知し、保持している商品の商品ＩＤと、利用者ＩＤとともに購入指示情報を商品管理サーバ２０に送信する（ステップＳ１６）。
【００４７】
ステップＳ１３からステップＳ１６までにおいて、処理される商品情報、仮選択情報としては、商品データベースＤ１に記憶された商品情報のうち、商品ＩＤは必須であるが、その他の項目については、販売取引に必要な項目を、用途に合わせて任意に利用可能に設定しておくことが可能である。
【００４８】
商品管理サーバ２０では、購入指示情報を受信すると、仮登録手段２３が、受信した商品ＩＤと利用者ＩＤを関連付け、新規に販売取引を特定する販売ＩＤを発行し、販売データベースＤ３に登録する。この際、仮登録手段２３は、商品ＩＤで商品データベースＤ１を参照して価格を取得し、購入数と乗算して代金を算出し、販売ＩＤに対応付けて販売データベースＤ３に登録する処理も行う。続いて、商品管理サーバ２０では、二次元コード生成手段２４が、販売データベースＤ３に登録されたことを示す二次元コードＮを発行する（ステップＳ１７）。具体的には、商品管理サーバ２０にサクセスするためのＵＲＬと、販売ＩＤを含む二次元コードＮを生成する。そして、商品管理サーバ２０では、二次元コード送信手段２５が、生成した二次元コードＮとともに商品情報および購入受付メッセージを携帯型端末１０に送信する（ステップＳ１８）。
【００４９】
携帯型端末１０では、二次元コード受信手段１５が、商品管理サーバ２０から二次元コードＮ、商品情報および購入受付メッセージを受信する。そして、商品管理サーバ２０は、受信した二次元コードＮ、商品情報および購入受付メッセージを、表示部１０ｆに表示する（ステップＳ１９）。具体的には、通信部１０ｇが商品管理サーバ２０から受信した情報をＣＰＵ１０ａに渡し、ＣＰＵ１０ａがＲＡＭ１０ｂに書き込む。そして、ＣＰＵ１０ａが専用プログラムを実行することにより、表示部１０ｆに表示指示を行い、表示指示を受けた表示部１０ｆが二次元コードＮ、商品情報および購入受付メッセージを表示する。
【００５０】
図９（ｃ）は、二次元コードが表示部１０ｆに表示された状態を示す図である。図９（ｃ）に示すように、仮登録された旨は、利用者に対しては、「こちらの商品でよろしいですか？よろしければこちらの二次元コードをレシート発行機に翳してください。本決済のレシートが発行されます。」というメッセージにより通知される。メッセージの下方には、図９（ａ）（ｂ）と同様に、書籍の表紙画像を含む商品情報が表示される。画面の最下部には、二次元コードＮが表示される。
【００５１】
商品の購入手続きを行う際に、図９を用いて説明したように、カートに入れるイメージを利用することにより商品の仮選択を行い、最終的に購入指示を行うことにより購入商品を決定する処理は、既に多くのＥＣサイト等で実行されている。本実施形態においても、購入手続処理手段２９が実行する、カートに入れるイメージを利用した購入手続きは公知の技術を用いて実現することができる。
【００５２】
＜３．２．レシート発行機を利用した本決済処理＞
次に、図１０のシーケンス図を用いて、本決済処理について説明する。
利用者側から見ると、店舗に入店してからここまでの処理は、自身が保有する携帯型端末１０の操作のみにより行うことができる。図９（ｃ）に示したように、携帯型端末１０の画面に二次元コードＮが表示されたら、利用者は、店舗内のレシート発行機３０が設置されている場所に移動し、携帯型端末１０の画面に表示された二次元コードＮをレシート発行機３０に読み取らせる。具体的には、レシート発行機３０の光学的読取部３０ｆに対して、画面を向けながら携帯型端末１０を翳す。二次元コード読取手段３１は、二次元コードＮを認識すると、認識した二次元コードＮを読み取る（ステップＳ２０）。
【００５３】
レシート発行機３０では、二次元コード読取手段３１が、携帯型端末１０の画面に表示された二次元コードＮを読み取り、二次元コードＮに記録されたコード記録情報を取得すると、コード記録情報に含まれるＵＲＬを利用して商品管理サーバ２０にアクセスし、コード記録情報に含まれる販売ＩＤを、レシート発行機３０を特定する情報とともに送信する（ステップＳ２１）。
【００５４】
商品管理サーバ２０では、レシート発行機３０から販売ＩＤを取得すると、決済用情報取得手段２６が、販売ＩＤを用いて販売データベースＤ３を参照し、利用者ＩＤと代金情報を取得する。さらに、取得した利用者ＩＤを用いて利用者データベースＤ２を参照し、クレジット決済用情報を取得する（ステップＳ２２）。
【００５５】
次に、決済処理手段２７が、クレジット決済装置４０にアクセスし、決済用情報取得手段２６により取得された代金情報とクレジット決済用情報を送信する（ステップＳ２３）。
【００５６】
クレジット決済装置４０は、代金情報とクレジット決済用情報を受信すると、受信した代金情報とクレジット決済用情報を用いて決済処理を行う。決済処理が正しく行われた場合には、クレジット決済装置４０は、決済識別情報である決済ＩＤを発行し、商品管理サーバ２０に送信する（ステップＳ２４）。一方、決済処理が正しく行われなかった場合には、決済不能である旨の情報を商品管理サーバ２０に送信する。
【００５７】
商品管理サーバ２０は、クレジット決済装置４０から決済ＩＤを受信すると、決済ＩＤを販売ＩＤと対応付けて販売データベースＤ３に登録する。そして、商品データベースＤ１から該当する商品ＩＤの在庫を購入数分だけ減じる処理を行う。一方、クレジット決済装置４０から決済不能である旨の情報を受信した場合は、商品管理サーバ２０は、決済不能である旨の情報を販売ＩＤと対応付けて販売データベースＤ３に登録する。具体的には、販売データベースＤ３の決済ＩＤの項目に決済不能を示す情報を記録する。
【００５８】
決済に関する情報を販売データベースＤ３に登録したら、商品管理サーバ２０では、決済完了情報送信手段２８が、決済完了か決済不能かを示す情報をレシート発行機３０に送信する（ステップＳ２５）。決済完了の場合には、決済完了情報送信手段２８は、決済完了を示す情報を送信する。レシート発行機３０では、決済完了を示す情報を受信した場合には、レシート印刷手段３３がレシート用紙に、二次元コードＮに記録されていた商品情報を印刷してレシートＲを発行する（ステップＳ２６）。二次元コードＮには、簡略化された商品の外観画像が記録されており、レシート印刷手段３３は、商品情報の一部として商品の外観画像もレシート用紙に印刷する。
【００５９】
以上のような処理を実行することにより、利用者は、店舗内で手に取った商品を、店員に見せることなく、決済処理後、そのまま持ち帰ることが可能になる。仮に店員に呼び止められた場合には、発行されたレシートを提示することにより、正当に購入したものであることを証明することができる。
【００６０】
以上、本発明の好適な実施形態について説明したが、本発明は、上記実施形態に限定されず、種々の変形が可能である。例えば、上記実施形態では、レシート発行機３０は、二次元コードに記録された簡易な外観画像を印刷するようにしたが、二次元コードに商品管理サーバ２０内の画像ファイルのパスを記録しておき、このパスを読み取って、商品管理サーバ２０にアクセスしてデータ量の大きい外観画像を取得し、レシート用紙に印刷するようにしても良い。
【産業上の利用可能性】
【００６１】
本発明は、携帯端末を利用して商品の購入手続きを行う産業、特に、店舗に在庫が存在する場合に、利用者が管理する携帯端末を用いて決済を行うための産業に利用可能である。
【符号の説明】
【００６２】
１０・・・携帯型端末
１０ａ・・・ＣＰＵ
１０ｂ・・・ＲＡＭ
１０ｃ・・・記憶装置
１０ｄ・・・指示入力部
１０ｅ・・・データ入出力Ｉ／Ｆ
１０ｆ・・・表示部
１０ｇ・・・通信部
１０ｈ・・・カメラ部
１１・・・光学シンボル読取手段
１２・・・商品識別情報送信手段
１３・・・商品情報受信手段
１４・・・購入指示送信手段
１５・・・二次元コード受信手段
２０・・・商品管理サーバ
２０ａ・・・ＣＰＵ
２０ｂ・・・ＲＡＭ
２０ｃ・・・記憶装置
２０ｄ・・・入力Ｉ／Ｆ
２０ｅ・・・データ入出力Ｉ／Ｆ
２０ｆ・・・表示出力Ｉ／Ｆ
２０ｇ・・・通信部
２１・・・商品情報取得手段
２２・・・商品情報送信手段
２３・・・仮登録手段
２４・・・二次元コード生成手段
２５・・・二次元コード送信手段
２６・・・決済用情報取得手段
２７・・・決済処理手段
２８・・・決済完了情報送信手段
２９・・・購入手続処理手段
３０・・・レシート発行機
３０ａ・・・ＣＰＵ
３０ｂ・・・ＲＡＭ
３０ｃ・・・記憶装置
３０ｄ・・・印刷部
３０ｅ・・・通信部
３０ｆ・・・光学的読取部
３０ｇ・・・表示部
３１・・・二次元コード読取手段
３２・・・販売識別情報送信手段
３３・・・レシート印刷手段
４０・・・クレジット決済装置
５０・・・ネットワーク
１００・・・決済システム
Ｄ１・・・商品データベース
Ｄ２・・・利用者データベース
Ｄ３・・・販売データベース
Ｋ・・・光学シンボル
Ｍ・・・商品
Ｎ・・・二次元コード
Ｒ・・・レシート
【図１】
2014010521.tif 000003
【図２】
2014010521.tif 000004
【図３】
2014010521.tif 000005
【図４】
2014010521.tif 000006
【図５】
2014010521.tif 000007
【図６】
2014010521.tif 000008
【図７】
2014010521.tif 000009
【図８】
2014010521.tif 000010
【図９】
2014010521.tif 000011
【図１０】
2014010521.tif 000012